【手続補正書】
【提出日】平成30年4月10日(2018.4.10)
【手続補正１】
【補正対象書類名】特許請求の範囲
【補正対象項目名】全文
【補正方法】変更
【補正の内容】
【特許請求の範囲】
【請求項１】
複数のアイテムで構成されているアイテム群の価格又は納期を決定する自動見積方法であって、
前記アイテム群に含まれる前記アイテムを認識するアイテム認識工程と、
認識された前記アイテムごとに、該アイテムを製造する際に選択し得る製造条件ごとの該アイテムの価格又は納期を取得するアイテム情報取得工程と、
前記製造条件の中から指定された指定条件を認識する指定条件認識工程と、
前記アイテム群の希望価格又は希望納期を認識する希望価格・納期認識工程と、
認識された前記指定条件に対応する前記アイテムの前記価格又は前記納期に基づいて、前記アイテム群の前記価格又は前記納期を決定するアイテム群価格・納期決定工程と、
複数の前記アイテムのうちの少なくとも１つについての前記製造条件を報知する報知工程と、
前記製造条件ごとに、該製造条件を変更した場合に決定される前記アイテム群の前記価格又は前記納期の決定された前記アイテム群の前記価格又は前記納期に対する変動値を算出する変動値算出工程とを備え、
前記報知工程で報知される前記製造条件は、変更した場合に決定される前記アイテム群の前記価格又は前記納期が該製造条件を変更する前に決定された前記アイテム群の前記価格又は前記納期よりも前記希望価格又は前記希望納期に近くなる前記製造条件であり、
前記報知工程で、前記製造条件とともに、該製造条件を変更した場合における前記変動値を報知することを特徴とする自動見積方法。
【請求項２】
請求項１に記載の自動見積方法であって、
前記製造条件の中から選択された固定条件を認識する固定条件認識工程を備え、
前記報知工程で報知される前記製造条件は、前記固定条件以外の前記製造条件であることを特徴とする自動見積方法。
【請求項３】
請求項１又は請求項２に記載の自動見積方法であって、
複数の前記アイテム又は前記アイテムを構成する部分の中から選択された固定アイテム又は固定部分を認識する固定箇所認識工程を備え、
前記報知工程で報知される前記製造条件は、前記固定アイテム又は前記固定部分以外の前記アイテム又は前記アイテムを構成する部分の前記製造条件であることを特徴とする自動見積方法。
【請求項４】
請求項１〜請求項３のいずれか１項に記載の自動見積方法であって、
前記希望価格又は前記希望納期に基づいて、前記製造条件の中から推奨される推奨条件を選択して報知する推奨条件提案工程を備えていることを特徴とする自動見積方法。
【請求項５】
複数のアイテムで構成されているアイテム群の価格又は納期を決定するサーバであって、
前記アイテム群に含まれる前記アイテムを認識するアイテム認識部と、
前記アイテムを製造する際に選択し得る製造条件ごとの該アイテムの価格又は納期が格納されたアイテム情報格納部と、
前記アイテム認識部によって認識された前記アイテムごとに、該アイテムを製造する際に選択し得る前記製造条件ごとの該アイテムの価格又は納期を、前記アイテム情報格納部から取得するアイテム情報取得部と、
前記製造条件の中から指定された指定条件を認識する指定条件認識部と、
前記アイテム群の希望価格又は希望納期を認識する希望価格・納期認識部と、
前記指定条件認識部によって認識された前記指定条件に対応する前記アイテムの前記価格又は前記納期に基づいて、前記アイテム群の前記価格又は前記納期を決定するアイテム群価格・納期決定部と、
複数の前記アイテムのうちの少なくとも１つの前記製造条件を報知する報知部と、
前記製造条件ごとに、該製造条件を変更した場合に決定される前記アイテム群の前記価格又は前記納期の決定された前記アイテム群の前記価格又は前記納期に対する変動値を算出する変動値算出部とを備え、
前記報知部が報知する前記製造条件は、変更した場合に決定される前記アイテム群の前記価格又は前記納期が該製造条件を変更する前に決定された前記アイテム群の前記価格又は前記納期よりも前記希望価格又は前記希望納期に近くなる前記製造条件であり、
前記報知部は、前記製造条件とともに、該製造条件を変更した場合における前記変動値を報知することを特徴とするサーバ。
【請求項６】
請求項５に記載のサーバ、入力端末及び出力端末を備えたことを特徴とする自動見積システム。
【請求項７】
同一種類の複数のアイテムで構成されているアイテム群の価格又は納期を決定する自動見積方法であって、
前記アイテム群に含まれる前記アイテムを認識するアイテム認識工程と、
認識された前記アイテムごとに、該アイテムを製造する際に選択し得る製造条件ごとの該アイテムの価格又は納期を取得するアイテム情報取得工程と、
前記製造条件の中から指定された指定条件を認識する指定条件認識工程と、
前記アイテム群の希望価格又は希望納期を認識する希望価格・納期認識工程と、
認識された前記指定条件に対応する前記アイテムの前記価格又は前記納期に基づいて、前記アイテム群の前記価格又は前記納期を決定するアイテム群価格・納期決定工程と、
複数の前記アイテムのうちの少なくとも１つについての前記製造条件を報知する報知工程とを備え、
前記報知工程で報知される前記製造条件は、変更した場合に決定される前記アイテム群の前記価格又は前記納期が該製造条件を変更する前に決定された前記アイテム群の前記価格又は前記納期よりも、前記希望価格又は前記希望納期に近くなる前記製造条件であることを特徴とする自動見積方法。
【請求項８】
複数のアイテムで構成されているアイテム群の価格又は納期を決定する自動見積方法であって、
前記アイテム群に含まれる前記アイテムを認識するアイテム認識工程と、
認識された前記アイテムごとに、該アイテムを製造する際に選択し得る製造条件ごとの該アイテムの価格又は納期を取得するアイテム情報取得工程と、
前記製造条件の中から指定された指定条件を認識する指定条件認識工程と、
前記アイテム群の希望価格又は希望納期を認識する希望価格・納期認識工程と、
認識された前記指定条件に対応する前記アイテムの前記価格又は前記納期に基づいて、前記アイテム群の前記価格又は前記納期を決定するアイテム群価格・納期決定工程と、
変更した場合に決定される前記アイテム群の前記価格又は前記納期が該製造条件を変更する前に決定された前記アイテム群の前記価格又は前記納期よりも、前記希望価格又は前記希望納期に近くなる製造条件である推奨条件を少なくとも２つ検索するとともに、検索された該推奨条件について、変更した場合に決定される前記アイテム群の前記価格及び前記納期の前記希望価格及び前記希望納期に対する近似度を認識する検討推奨部分認識工程と、
複数の前記アイテムのうちの少なくとも２つについての前記推奨条件を報知する報知工程とを備え、
前記報知工程で、前記推奨条件ごとに、前記近似度に応じて異なる形式で報知を行うことを特徴とする自動見積方法。
【手続補正２】
【補正対象書類名】明細書
【補正対象項目名】０００８
【補正方法】変更
【補正の内容】
【０００８】
上記目的を達成するために、本発明の自動見積方法は、複数のアイテムで構成されているアイテム群の価格又は納期を決定する自動見積方法であって、前記アイテム群に含まれる前記アイテムを認識するアイテム認識工程と、認識された前記アイテムごとに、該アイテムを製造する際に選択し得る製造条件ごとの該アイテムの価格又は納期を取得するアイテム情報取得工程と、前記製造条件の中から指定された指定条件を認識する指定条件認識工程と、前記アイテム群の希望価格又は希望納期を認識する希望価格・納期認識工程と、認識された前記指定条件に対応する前記アイテムの前記価格又は前記納期に基づいて、前記アイテム群の前記価格又は前記納期を決定するアイテム群価格・納期決定工程と、複数の前記アイテムのうちの少なくとも１つについての前記製造条件を報知する報知工程と、前記製造条件ごとに、該製造条件を変更した場合に決定される前記アイテム群の前記価格又は前記納期の決定された前記アイテム群の前記価格又は前記納期に対する変動値を算出する変動値算出工程とを備え、前記報知工程で報知される前記製造条件は、変更した場合に決定される前記アイテム群の前記価格又は前記納期が該製造条件を変更する前に決定された前記アイテム群の前記価格又は前記納期よりも前記希望価格又は前記希望納期に近くなる前記製造条件であり、前記報知工程で、前記製造条件とともに、該製造条件を変更した場合における前記変動値を報知することを特徴とする。
【手続補正３】
【補正対象書類名】明細書
【補正対象項目名】００１１
【補正方法】変更
【補正の内容】
【００１１】
したがって、本発明の自動見積方法によれば、ユーザが価格又は納期と製造条件との関係について専門的な知識を有していない場合であっても、少ない試行回数で容易に見積結果をユーザの希望価格又は希望納期に近づけることができる。
また、このように、報知工程で変更すべき製造条件を報知するだけでなく、変動値を報知すれば、ユーザが具体的に価格又は納期の変動値を認識できるようになる。その結果、さらに少ない試行回数で容易に見積結果をユーザの希望価格又は希望納期に近づけることができるようになる。
【手続補正４】
【補正対象書類名】明細書
【補正対象項目名】００１８
【補正方法】削除
【補正の内容】
【手続補正５】
【補正対象書類名】明細書
【補正対象項目名】００１９
【補正方法】削除
【補正の内容】
【手続補正６】
【補正対象書類名】明細書
【補正対象項目名】００２０
【補正方法】変更
【補正の内容】
【００２０】
また、上記目的を達成するために、本発明のサーバは、複数のアイテムで構成されているアイテム群の価格又は納期を決定するサーバであって、前記アイテム群に含まれる前記アイテムを認識するアイテム認識部と、前記アイテムを製造する際に選択し得る製造条件ごとの該アイテムの価格又は納期が格納されたアイテム情報格納部と、前記アイテム認識部によって認識された前記アイテムごとに、該アイテムを製造する際に選択し得る前記製造条件ごとの該アイテムの価格又は納期を、前記アイテム情報格納部から取得するアイテム情報取得部と、前記製造条件の中から指定された指定条件を認識する指定条件認識部と、前記アイテム群の希望価格又は希望納期を認識する希望価格・納期認識部と、前記指定条件認識部によって認識された前記指定条件に対応する前記アイテムの前記価格又は前記納期に基づいて、前記アイテム群の前記価格又は前記納期を決定するアイテム群価格・納期決定部と、複数の前記アイテムのうちの少なくとも１つの前記製造条件を報知する報知部と、前記製造条件ごとに、該製造条件を変更した場合に決定される前記アイテム群の前記価格又は前記納期の決定された前記アイテム群の前記価格又は前記納期に対する変動値を算出する変動値算出部とを備え、前記報知部が報知する前記製造条件は、変更した場合に決定される前記アイテム群の前記価格又は前記納期が該製造条件を変更する前に決定された前記アイテム群の前記価格又は前記納期よりも前記希望価格又は前記希望納期に近くなる前記製造条件であり、前記報知部は、前記製造条件とともに、該製造条件を変更した場合における前記変動値を報知することを特徴とする。
【手続補正７】
【補正対象書類名】明細書
【補正対象項目名】００２１
【補正方法】変更
【補正の内容】
【００２１】
また、上記目的を達成するために、本発明の自動見積システムは、上記のサーバ、入力端末及び出力端末を備えたことを特徴とする。
また、上記目的を達成するために、本発明の自動見積方法は、同一種類の複数のアイテムで構成されているアイテム群の価格又は納期を決定する自動見積方法であって、前記アイテム群に含まれる前記アイテムを認識するアイテム認識工程と、認識された前記アイテムごとに、該アイテムを製造する際に選択し得る製造条件ごとの該アイテムの価格又は納期を取得するアイテム情報取得工程と、前記製造条件の中から指定された指定条件を認識する指定条件認識工程と、前記アイテム群の希望価格又は希望納期を認識する希望価格・納期認識工程と、認識された前記指定条件に対応する前記アイテムの前記価格又は前記納期に基づいて、前記アイテム群の前記価格又は前記納期を決定するアイテム群価格・納期決定工程と、複数の前記アイテムのうちの少なくとも１つについての前記製造条件を報知する報知工程とを備え、前記報知工程で報知される前記製造条件は、変更した場合に決定される前記アイテム群の前記価格又は前記納期が該製造条件を変更する前に決定された前記アイテム群の前記価格又は前記納期よりも、前記希望価格又は前記希望納期に近くなる前記製造条件であることを特徴とする。
また、上記目的を達成するために、本発明の自動見積方法は、複数のアイテムで構成されているアイテム群の価格又は納期を決定する自動見積方法であって、前記アイテム群に含まれる前記アイテムを認識するアイテム認識工程と、認識された前記アイテムごとに、該アイテムを製造する際に選択し得る製造条件ごとの該アイテムの価格又は納期を取得するアイテム情報取得工程と、前記製造条件の中から指定された指定条件を認識する指定条件認識工程と、前記アイテム群の希望価格又は希望納期を認識する希望価格・納期認識工程と、認識された前記指定条件に対応する前記アイテムの前記価格又は前記納期に基づいて、前記アイテム群の前記価格又は前記納期を決定するアイテム群価格・納期決定工程と、変更した場合に決定される前記アイテム群の前記価格又は前記納期が該製造条件を変更する前に決定された前記アイテム群の前記価格又は前記納期よりも、前記希望価格又は前記希望納期に近くなる製造条件である推奨条件を少なくとも２つ検索するとともに、検索された該推奨条件について、変更した場合に決定される前記アイテム群の前記価格及び前記納期の前記希望価格及び前記希望納期に対する近似度を認識する検討推奨部分認識工程と、複数の前記アイテムのうちの少なくとも２つについての前記推奨条件を報知する報知工程とを備え、前記報知工程で、前記推奨条件ごとに、前記近似度に応じて異なる形式で報知を行うことを特徴とする。